(57)【要約】【課題】通話時に作成されたデータを利用者が見つけ易くすること。【解決手段】１つの態様において、通信装置（例えばスマートフォン）１は、通話を行う通信ユニット６と、コントローラ１０とを有する。コントローラ１０は、通信ユニット６で通話を行い、通話時にアプリケーションを実行すると、当該アプリケーションの機能に基づいて作成されるデータを、当該通話に関連する情報に関連付ける。詳細には、コントローラ１０は、当該データをアドレス帳データに含まれる当該通話の相手に関する情報に関連付ける。【選択図】図５
2013255162.tif 000002
【特許請求の範囲】
【請求項１】
通話のための通信を行う通信ユニットと、
前記通話時に実行されるアプリケーションの機能に基づいて作成されるデータを、当該通話に関連する情報に関連付けるコントローラと、
を備える通信装置。
【請求項２】
ディスプレイと、
操作検出部と、をさらに備え、
前記コントローラは、前記通話に関する情報を前記ディスプレイに表示させる場合に前記データに関する情報をさらに前記ディスプレイに表示させ、前記操作検出部によって前記データに関する情報に対する操作が検出された場合に当該データに対応するアプリケーションを実行する請求項１に記載の通信装置。
【請求項３】
前記コントローラは、前記通話中に実行可能なアプリケーションを示す情報を前記ディスプレイに表示させ、前記操作検出部によって検出される操作に応じて前記アプリケーションを実行する制御を前記通話中に実行する請求項１または２に記載の通信装置。
【請求項４】
前記通話に関する情報は、当該通話の相手に関する登録情報であり、
前記コントローラは、前記登録情報を前記ディスプレイに表示させる場合に、前記登録情報と関連付けて前記データに関する情報を表示させる請求項２または３に記載の通信装置。
【請求項５】
前記通話に関する情報は、当該通話に関する通話履歴情報であり、
前記コントローラは、前記通話履歴情報を前記ディスプレイに表示させる場合に、前記通話履歴情報と関連付けて前記データに関する情報を表示させる請求項２または３に記載の通信装置。
【請求項６】
通話のための通信を行う通信ユニットを備えた通信装置の制御方法であって、
前記通信ユニットで通話を行うステップと、
前記通話時にアプリケーションを実行するステップと、
前記アプリケーションの機能に基づいて作成されるデータを、当該通話に関する情報に関連付けるステップと、
を含む制御方法。
【請求項７】
通話のための通信を行う通信ユニットを備えた通信装置に、
前記通信ユニットで通話を行うステップと、
前記通話時にアプリケーションを実行するステップと、
前記アプリケーションの機能に基づいて作成されるデータを、当該通話に関する情報に関連付けるステップと、
を実行させる制御プログラム。
【発明の詳細な説明】
【技術分野】
【０００１】
本出願は、通信装置、制御方法、及び制御プログラムに関する。
【背景技術】
【０００２】
通信装置には、通話中の会話を録音できるものがある（例えば、特許文献１）。このような通信装置は、通話中における録音操作の検出に応じて録音を開始し、通話の録音データを記憶部に記憶する。通信装置は、再生要求の検出に応じて、録音データを再生する。
【先行技術文献】
【特許文献】
【０００３】
【特許文献１】特開２００４−３５７２２９号公報
【発明の概要】
【発明が解決しようとする課題】
【０００４】
しかし、通信装置が複数の録音データを記憶している場合、複数の録音データの中から利用者が所望の録音データを見つけ出しにくい場合がある。上記のことから、通話時に作成されたデータを利用者が見つけ易くする通信装置、制御方法、及び制御プログラムに対するニーズがある。
【課題を解決するための手段】
【０００５】
１つの態様に係る通信装置は、通話のための通信を行う通信ユニットと、前記通話時に実行されるアプリケーションの機能に基づいて作成されるデータを、当該通話に関連する情報に関連付けるコントローラと、を備える。
【０００６】
１つの態様に係る制御方法は、通話のための通信を行う通信ユニットを備えた通信装置の制御方法であって、前記通信ユニットで通話を行うステップと、前記通話時にアプリケーションを実行するステップと、前記アプリケーションの機能に基づいて作成されるデータを、当該通話に関する情報に関連付けるステップと、を含む。
【０００７】
１つの態様に係る制御プログラムは、通話のための通信を行う通信ユニットを備えた通信装置に、前記通信ユニットで通話を行うステップと、前記通話時にアプリケーションを実行するステップと、前記アプリケーションの機能に基づいて作成されるデータを、当該通話に関する情報に関連付けるステップと、を実行させる。
【図面の簡単な説明】
【０００８】
【図１】図１は、実施形態に係るスマートフォンの斜視図である。
【図２】図２は、スマートフォンの正面図である。
【図３】図３は、スマートフォンの背面図である。
【図４】図４は、ホーム画面の例を示す図である。
【図５】図５は、スマートフォンのブロック図である。
【図６】図６は、設定データの例を示す図である。
【図７】図７は、アドレス帳データの例を示す図である。
【図８】図８は、通話履歴データの例を示す図である。
【図９】図９は、スマートフォンが通話時にアプリケーションを実行する場合の制御の例を示す図である。
【図１０】図１０は、スマートフォンがアドレス帳データを表示する場合の制御の例を示す図である。
【図１１】図１１は、スマートフォンが通話履歴データを表示する制御の例を示す図である。
【図１２】図１２は、スマートフォンのコントローラが通話時に行う制御を示すフローチャートである。
【図１３】図１３は、スマートフォンのコントローラが行うアドレス帳データの表示制御を示すフローチャートである。
【発明を実施するための形態】
【０００９】
本出願に係る通信装置、制御方法、及び制御プログラムを実施するための実施形態を、図面を参照しつつ詳細に説明する。以下では、通信装置の例として、スマートフォンについて説明する。
【００１０】
（実施形態）
図１から図３を参照しながら、実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１１】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１２】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重ねて配置されているが、ディスプレイ２Ａ及びタッチスクリーン２Ｂの配置はこれに限定されない。ディスプレイ２Ａ及びタッチスクリーン２Ｂは、例えば、並べて配置されてもよいし、離して配置されてもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。
【００１４】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。以下の説明では、タッチスクリーン２Ｂに対して接触する指、ペン、又はスタイラスペン等を、「接触オブジェクト（接触物）」と呼ぶことがある。
【００１５】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００１６】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００１７】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間より長く触れるジェスチャである。スマートフォン１は、タッチスクリーン２Ｂに指が一定時間より長く接触するジェスチャをロングタッチとして判別する。
【００１８】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００１９】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２０】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２１】
「フリック」は、指が、タッチスクリーン２Ｂに触れた後移動しながらタッチスクリーン２Ｂから離れるジェスチャである。すなわち、「フリック」は、タッチに続いて指が移動しながらリリースが行われるジェスチャである。スマートフォン１は、指が、タッチスクリーン２Ｂに触れた後移動しながらタッチスクリーン２Ｂから離れるジェスチャをフリックとして判別する。フリックは、指が一方方向へ移動しながら行われることが多い。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。フリックにおける指の移動は、スワイプにおける指の移動よりも素早いことが多い。
【００２２】
「ピンチイン」は、複数の指が互いに近付く方向にスワイプするジェスチャである。スマートフォン１は、タッチスクリーン２Ｂにより検出されるある指の位置と他の指の位置との間の距離が短くなるジェスチャをピンチインとして判別する。「ピンチアウト」は、複数の指が互いに遠ざかる方向にスワイプするジェスチャである。スマートフォン１は、タッチスクリーン２Ｂにより検出されるある指の位置と他の指の位置との間の距離が長くなるジェスチャをピンチアウトとして判別する。
【００２３】
本実施形態では、１本の指により行われるジェスチャを「シングルタッチジェスチャ」と呼ぶことがある。本実施形態では、２本以上の指により行われるジェスチャを「マルチタッチジェスチャ」と呼ぶことがある。ピンチインおよびピンチアウトは、マルチタッチジェスチャである。タップ、フリックおよびスワイプ等は、１本の指で行われればシングルタッチジェスチャであり、２本以上の指で行われればマルチタッチジェスチャである。
【００２４】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なることがある。以下の説明では、説明を簡単にするために、「タッチスクリーン２Ｂがジェスチャを検出し、検出されたジェスチャの種別をスマートフォン１がＸと判別すること」を、「スマートフォン１がＸを検出する」、又は「コントローラがＸを検出する」と記載することがある。
【００２５】
図４を参照しながら、ディスプレイ２Ａに表示される画面の例について説明する。図４は、ホーム画面の例を示している。ホーム画面は、デスクトップ、待受画面、アイドル画面又は標準画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００２６】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、ジェスチャが検出されたアイコン５０に対応付けられているアプリケーションを実行する。例えば、スマートフォン１は、メールアプリケーションに対応付けられたアイコン５０に対するタップが検出されると、メールアプリケーションを実行する。
【００２７】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン、バックスクリーン、アイドル画像又は背景画像と呼ばれることもある。スマートフォン１は、任意の画像を壁紙４１として用いることができる。スマートフォン１は、壁紙４１として表示する画像を利用者が選択できるように構成されてもよい。
【００２８】
スマートフォン１は、複数のホーム画面を有していてよい。スマートフォン１は、例えば、ホーム画面の数を利用者による設定に従って決定する。スマートフォン１は、ホーム画面の数が複数であっても、選択された１つをディスプレイ２Ａに表示する。
【００２９】
スマートフォン１は、ディスプレイ２Ａに表示するホーム画面を変更することができる。スマートフォン１は、ホーム画面の１つを表示中にジェスチャが検出されると、ディスプレイ２Ａに表示するホーム画面を別のホーム画面に変更する。例えば、スマートフォン１は、右フリックを検出すると、ディスプレイ２Ａに表示するホーム画面を１つ左のホーム画面に変更する。例えば、スマートフォン１は、左フリックを検出すると、ディスプレイ２Ａに表示するホーム画面を１つ右のホーム画面に変更する。スマートフォン１は、第１のホーム画面をディスプレイ２Ａに表示中にジェスチャが検出されると、ディスプレイ２Ａに表示される第１のホーム画面の面積が徐々に狭くなり、ディスプレイ２Ａに表示される第２のホーム画面の面積が徐々に広くなるようにディスプレイ２Ａに表示するホーム画面を第１のホーム画面から第２のホーム画面へ変更する。スマートフォン１は、第１のホーム画面が第２のホーム画面に即座に置き換わるようにホーム画面を切り替えてもよい。
【００３０】
ディスプレイ２Ａの上端には、領域４２が設けられている。領域４２には、電源の残量を示す残量マーク４３、及び通信用の電波の電界強度を示す電波レベルマーク４４が表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３１】
ディスプレイ２Ａに表示される画面の上下方向について説明する。以下の説明では、タッチスクリーンディスプレイ２の長手方向において領域４２に近い側が上側であり、領域４２から遠い側が下側である。そして、領域４２において電波レベルマーク４４が表示されている側が右側であり、領域４２において残量マーク４３が表示されている側が左側である。
【００３２】
図４に示したホーム画面４０は、例であり、各種の要素の形態、各種の要素の配置、ホーム画面４０の数、及びホーム画面４０での各種の操作の仕方等は上記の説明の通りでなくてもよい。
【００３３】
図５は、スマートフォン１のブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７とを有する。
【００３４】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３５】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００３６】
ボタン３Ａ〜３Ｃは、例えば、ホームボタン、バックボタンまたはメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００３７】
照度センサ４は、スマートフォン１の周囲光の照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、磁界の変化または超音波の反射波の帰還時間の変化等に基づいて物体の存在を検出する。近接センサ５は、例えば、タッチスクリーンディスプレイ２が顔に近付けられたことを検出する。照度センサ４及び近接センサ５は、一つのセンサとして構成されていてもよい。照度センサ４は、近接センサとして用いられてもよい。
【００３８】
通信ユニット６は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００３９】
レシーバ７及びスピーカ１１は、音出力部である。レシーバ７及びスピーカ１１は、コントローラ１０から送信される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換してコントローラ１０へ送信する。
【００４０】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００４１】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００４２】
ストレージ９は、例えば、制御プログラム９Ａ、電話アプリケーション９Ｂ、アドレス帳アプリケーション９Ｃ、通話履歴アプリケーション９Ｄ、アドレス帳データ９Ｘ、通話履歴データ９Ｙ、及び設定データ９Ｚを記憶する。電話アプリケーション９Ｂは、通信ユニット６による通話のための電話機能を提供する。アドレス帳アプリケーション９Ｃは、アドレス帳データ９Ｘを管理するためのアドレス帳機能を提供する。通話履歴アプリケーション９Ｄは、通話履歴データ９Ｙを管理するための通話履歴機能を提供する。アドレス帳データ９Ｘは、通話相手に関する各種の情報を含む。通話履歴データ９Ｙは、通話の履歴に関する情報を含む。設定データ９Ｚは、スマートフォン１の動作に関する各種の設定に関する情報を含む。
【００４３】
制御プログラム９Ａは、スマートフォン１を稼働させるための各種制御に関する機能を提供する。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能は、各種アプリケーション等の他のプログラムが提供する機能と組み合わせて利用されることがある。
【００４４】
ストレージ９は、上記のアプリケーションに加えて、通話中に実行可能なアプリケーションを記憶する。通話中に実行可能なアプリケーションには、例えば、メモアプリケーション、カメラアプリケーション、ボイスレコーダアプリケーション、地図アプリケーションが含まれる。メモアプリケーションは、入力されたテキストをテキストデータとして記憶するための機能等を提供する。カメラアプリケーションは、カメラ１２又は１３によって撮影された画像を画像データとして記憶するための機能等を提供する。ボイスレコーダアプリケーションは、レシーバ７から出力される音声及び通話時の音声等をボイスデータとして記憶するための機能等を提供する。地図アプリケーションは、現在地又は任意の場所の地図データを表示するための機能、及び表示した地図データを記憶するための機能等を提供する。スマートフォン１は、通話中に実行可能なアプリケーションを、通話中以外に実行してもよい。
【００４５】
ストレージ９は、データ記憶領域９０を含む。データ記憶領域９０は、コントローラ１０がアプリケーションを実行することによって作成される各種データが記憶される領域である。データ記憶領域９０に記憶されるデータには、例えば、テキストデータ、画像データ、ボイスデータ、及び地図データが含まれる。
【００４６】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、スマートフォン１の動作を統括的に制御して各種の機能を実現する。
【００４７】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、マイク８、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、レシーバ７、カメラ１２、カメラ１３、加速度センサ１５、方位センサ１６、及びジャイロスコープ１７を含むが、これらに限定されない。
【００４８】
コントローラ１０は、例えば、制御プログラム９Ａを実行することにより、通話時に作成されたデータを通話に関連する情報と関連付ける制御等の各種制御を実行する。通話に関連する情報は、例えば、通話相手に関する情報、又は通話履歴である。
【００４９】
本出願において、コントローラ１０がプログラム（アプリケーション）を起動する場合には、ストレージ９に記憶されているプログラムを新たに読み出してその処理を開始する場合と、既に読み出されているプログラムの処理を新たに開始する場合とが含まれる。本出願において、コントローラ１０がプログラムを実行する場合には、プログラムを起動する場合と、中断中のプログラムを再開する場合と、起動済のプログラムの処理を継続する場合とが含まれる。
【００５０】
カメラ１２は、フロントフェイス１Ａに面している物体を撮影するインカメラである。カメラ１３は、バックフェイス１Ｂに面している物体を撮影するアウトカメラである。
【００５１】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００５２】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００５３】
図５においてストレージ９が記憶するプログラム及びデータの一部又は全部は、通信ユニット６による無線通信で他の装置からダウンロードされてもよい。図５においてストレージ９が記憶するプログラム及びデータの一部又は全部は、ストレージ９に含まれる読み取り装置が読み取り可能な非一過的な記憶媒体に記憶されていてもよい。図５においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００５４】
図５に示したスマートフォン１の構成は例であり、本発明の要旨を損なわない範囲において適宜変更してよい。例えば、ボタン３の数と種類は図５の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてもよいし、ボタンを備えなくてもよい。図５に示した例では、スマートフォン１が２つのカメラを備えるが、スマートフォン１は、１つのカメラのみを備えてもよいし、カメラを備えなくてもよい。図５に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００５５】
次に、図６を参照しながら、設定データ９Ｚについて説明する。図６は、設定データ９Ｚの例を示す図である。図６に示すように、設定データ９Ｚには、通話中に実行可能なアプリケーション毎にアプリケーション情報３０が記憶される。アプリケーション情報３０は、アプリケーション名と、有効／無効と、画像といった項目を有する。アプリケーション名は、通話中に実行可能なアプリケーションの名称を示す。有効／無効は、通話中におけるアプリケーションの実行が有効化されているか無効化されているかを示す。画像は、アプリケーションを示すアイコンして表示される画像データを示す。
【００５６】
図６に示す例では、アプリケーション情報３０は、メモアプリケーション、カメラアプリケーション、ボイスレコーダアプリケーション、及び地図アプリケーションに対応するアプリケーション情報３０を含む。これらのアプリケーション情報３０の有効／無効の項目の値は、「有効」に設定されている。さらに、図６に示すアプリケーション情報３０の例では、メモアプリケーションの画像の項目に「ｍｅｍｏ．ｐｃｔ」、カメラアプリケーションの画像の項目に「ｃａｍｅｒａ．ｐｃｔ」、ボイスレコーダアプリケーションの画像の項目に「ｖｏｉｃｅ．ｐｃｔ」、地図アプリケーションの画像の項目に「ｍａｐ．ｐｃｔ」が設定されている。
【００５７】
アプリケーション情報３０は、図６に示す例に限定されない。例えば、アプリケーション情報３０は、その他のアプリケーションに対応してもよい。アプリケーション情報３０の画像の項目には、画像データが記憶されている記憶場所のアドレスが設定されてもよい。アプリケーション情報３０は、アプリケーションを示すアイコンに代えて、あるいは、これに加えて、アプリケーションを示す文字列を含んでもよい。
【００５８】
次に、図７を参照しながら、アドレス帳データ９Ｘについて説明する。図７は、アドレス帳データ９Ｘの例を示す図である。図７に示すように、アドレス帳データ９Ｘには、通話相手毎に登録情報３１が記憶される。登録情報３１は、名前と、電話番号といった項目を含む。名前は、通話相手の名前を示す。電話番号は、通話相手の電話番号を示す。
【００５９】
図７に示す例では、アドレス帳データ９Ｘは、「Ａさん」、「Ｂさん」、「Ｃさん」、「Ｄさん」、及び「Ｅさん」に対応する登録情報３１を含む。図７に示す例では、「Ａさん」、「Ｂさん」、「Ｃさん」、「Ｄさん」、「Ｅさん」の電話番号として、それぞれ、「０９０−ＸＸＸＸ−ＸＸＸ１」、「０９０−ＸＸＸＸ−ＸＸＸ２」、「０９０−ＸＸＸＸ−ＸＸＸ３」、「０９０−ＸＸＸＸ−ＸＸＸ４」、「０９０−ＸＸＸＸ−ＸＸＸ５」が設定されている。
【００６０】
登録情報３１は、図７に示す例に限定されない。例えば、登録情報３１は、メールアドレス、住所、位置情報等の他の項目を含んでもよい。
【００６１】
スマートフォン１は、通話時に作成したデータをデータ記憶領域９０に記憶する場合、そのデータと通話相手に対応する登録情報３１とを関連付ける。本実施形態では、スマートフォン１は、データ記憶領域９０におけるデータの格納場所を示すポインタを、通話相手に対応する登録情報３１に設定する。
【００６２】
図７に示す例では、「Ａさん」に対応する登録情報３１に、ボイスデータ９１ａの格納場所を示すポインタが設定されている。「Ｄさん」に対応する登録情報３１に、ボイスデータ９１ｂの格納場所を示すポインタが設定されている。「Ｅさん」に対応する登録情報３１に、画像データ９１ｃの格納場所を示すポインタ及びメモデータ９１ｄの格納場所を示すポインタが設定されている。このように、スマートフォン１は、１つの登録情報３１を複数のデータと関連付けることができる。「Ｂさん」及び「Ｃさん」に対応する登録情報３１には、ポインタが設定されていない。すなわち、「Ｂさん」及び「Ｃさん」に対応する登録情報３１は、通話時に作成されたデータと関連付けられていない。
【００６３】
図７に示す例では、ボイスデータ９１ａ、９１ｂ、画像データ９１ｃ、及びメモデータ９１ｄがデータ記憶領域９０に記憶されているが、データ記憶領域９０に記憶されるデータは、これらに限定されない。スマートフォン１は、通話時に実行したか否かに関わらず、アプリケーションを実行することによって作成した任意のデータをデータ記憶領域９０に記憶してもよい。
【００６４】
本実施形態では、登録情報３１とデータ記憶領域９０のデータとがポインタによって関連付けられる場合について説明するが、登録情報３１とデータ記憶領域９０のデータとを関連付ける方法はこれに限定されない。例えば、スマートフォン１は、データ記憶領域９０のデータを識別するための情報を登録情報３１に設定してもよい。あるいは、スマートフォン１は、登録情報３１を識別するための情報を、データ記憶領域９０のデータに付加してもよい。あるいは、スマートフォン１は、登録情報３１とデータ記憶領域９０のデータとの関連付けを示す情報を、登録情報３１とは別の情報として記憶してもよい。
【００６５】
次に、図８を参照しながら、通話履歴データ９Ｙについて説明する。図８は、通話履歴データ９Ｙの例を示す図である。図８に示すように、通話履歴データ９Ｙには、通話毎に通話履歴情報３２が記憶される。通話履歴情報３２は、日時と、名前と、電話番号と、通話時間といった項目を含む。日時は、通話が開始された日時である。名前は、通話相手の名前である。電話番号は、通話相手の電話番号である。通話時間は、通話の開始から終了までの時間である。
【００６６】
図８に示す例では、通話履歴情報３２は、「４／１０  ０９：００」、「４／９  １７：００」、「４／９  １３：００」、「４／８  １０：００」、「４／６  １１：００」、「４／５  ０９：００」、及び「４／３  １４：００」に開始された通話に対応する通話履歴情報３２を含む。「４／１０  ０９：００」に開始された通話は、「Ｄさん」との間で開始された通話であり、「４／８  １０：００」に開始された通話は、「Ａさん」との間で開始された通話である。
【００６７】
スマートフォン１は、通話時に作成したデータをデータ記憶領域９０に記憶する場合、そのデータと通話に対応する通話履歴情報３２とを関連付ける。本実施形態では、スマートフォン１は、データ記憶領域９０におけるデータの格納場所を示すポインタを、通話に対応する通話履歴情報３２に設定する。
【００６８】
図８に示す例では、「４／１０  ０９：００」に開始された通話に対応する通話履歴情報３２に、ボイスデータ９１ｅの格納場所を示すポインタが設定されている。「４／８  １０：００」に開始された通話に対応する通話履歴情報３２に、ボイスデータ９１ｆの格納場所を示すポインタが設定されている。スマートフォン１は、１つの通話履歴情報３２を複数のデータと関連付けることもできる。「４／９  １７：００」、「４／９  １３：００」、「４／６  １１：００」、「４／５  ０９：００」、及び「４／３  １４：００」に開始された通話に対応する通話履歴情報３２には、ポインタが設定されていない。
【００６９】
本実施形態では、通話履歴情報３２とデータ記憶領域９０のデータとをポインタによって関連付ける場合について説明するが、通話履歴情報３２とデータ記憶領域９０のデータとを関連付ける方法はこれに限定されない。例えば、スマートフォン１は、データ記憶領域９０のデータを識別するための情報を通話履歴情報３２に設定してもよい。あるいは、スマートフォン１は、通話履歴情報３２を識別するための情報を、データ記憶領域９０のデータに付加してもよい。あるいは、スマートフォン１は、通話履歴情報３２とデータ記憶領域９０のデータとの関連付けを示す情報を、通話履歴情報３２とは別の情報として記憶してもよい。
【００７０】
ここまで、本実施形態に係るスマートフォン１の基本的な構成について説明を行った。以下に、図９を参照しながら、スマートフォン１が、通話時にアプリケーションを実行する場合の制御の例を説明する。
【００７１】
図９は、スマートフォン１が通話時にアプリケーションを実行する場合の制御の例を示す図である。スマートフォン１は、着信、又は利用者による発信操作を検出すると、通話を開始するために電話アプリケーション９Ｂを実行する。スマートフォン１は、通話が開始されると、ステップＳ１１に示すように、通話画面４５をディスプレイ２Ａに表示する。通話画面４５は、通話相手の名前と電話番号とを含む通話相手情報４５ａと、通話終了ボタン４５ｂと、アプリケーション一覧６０とを含む。アプリケーション一覧６０は、通話中に実行可能なアプリケーションを示す。スマートフォン１は、アプリケーション情報３０の有効／無効の項目に、「有効」が設定されているアプリケーションに対応するアイコンをアプリケーション一覧６０に表示する。
【００７２】
図９に示す例では、アプリケーション一覧６０は、アイコン６１ａ、アイコン６１ｂ、アイコン６１ｃ、及びアイコン６１ｄを含む。これらのアイコンは、図６に示したアプリケーション情報３０に基づいて表示されている。アイコン６１ａは、メモアプリケーションに対応するアプリケーション情報３０の画像の項目に設定された「ｍｅｍｏ．ｐｃｔ」に基づいて表示される。アイコン６１ｂは、カメラアプリケーションに対応するアプリケーション情報３０の画像の項目に設定された「ｃａｍｅｒａ．ｐｃｔ」に基づいて表示される。アイコン６１ｃは、ボイスレコーダアプリケーションに対応するアプリケーション情報３０の画像の項目に設定された「ｖｏｉｃｅ．ｐｃｔ」に基づいて表示される。アイコン６１ｄは、地図アプリケーションに対応するアプリケーション情報３０の画像の項目に設定された「ｍａｐ．ｐｃｔ」に基づいて表示される。
【００７３】
さらに、スマートフォン１は、通話を開始した日時、通話相手等を記録するために、通話履歴アプリケーション９Ｄを実行し、通話履歴情報３２を通話履歴データ９Ｙに追加する。
【００７４】
ステップＳ１１では、利用者の指Ｆ１が、アプリケーション一覧６０のアイコン６１ｃをタップしている。本実施形態において、アプリケーション一覧６０のアイコンへのタップは、そのアイコンに対応するアプリケーションの実行指示を示す操作である。スマートフォン１は、アイコン６１ｃに対するタップを検出すると、ボイスレコーダアプリケーションを実行し、ステップＳ１２に示すように、ボイスレコーダアプリケーションのボイスレコーダ画面７１をディスプレイ２Ａに表示する。ボイスレコーダ画面７１は、録音時間７１ａと、ＲＥＣボタン７１ｂと、ＳＴＯＰボタン７１ｃとを含む。このとき、スマートフォン１は、ステップＳ１２で、ボイスレコーダアプリケーションと電話アプリケーション９Ｂとを並行して実行している。すなわち、スマートフォン１は、通話を継続したままで、ボイスレコーダアプリケーションを実行している。
【００７５】
ステップＳ１２では、利用者の指Ｆ１が、ＲＥＣボタン７１ｂをタップしている。スマートフォン１は、ＲＥＣボタン７１ｂに対するタップを検出すると、録音を開始する。すなわち、スマートフォン１は、ボイスレコーダアプリケーションが提供する機能に基づいて、通話の音声を所定の形式で符号化することによってボイスデータを作成し、データ記憶領域９０に記憶する処理を開始する。さらに、スマートフォン１は、ステップＳ１３に示すように、ボイスレコーダ画面７１の録音時間７１ａを録音時間に合わせて更新して表示する。
【００７６】
ステップＳ１３では、利用者の指Ｆ１がＳＴＯＰボタン７１ｃをタップしている。スマートフォン１は、ＳＴＯＰボタン７１ｃに対するタップを検出すると、録音を停止する。すなわち、スマートフォン１は、ボイスデータを作成し、データ記憶領域９０に記憶する処理を終了する。そして、スマートフォン１は、データ記憶領域９０に記憶したボイスデータを、通話相手に対応する登録情報３１及び通話に対応する通話履歴情報３２と関連付ける。
【００７７】
続いて、スマートフォン１は、ステップＳ１４に示すように、通話画面４５をディスプレイ２Ａに再び表示する。この時点でも通話は継続している。スマートフォン１は、アプリケーション一覧６０のアイコンに対応するアプリケーションの実行指示を示す操作を検出すると、そのアプリケーションを実行する。そして、実行したアプリケーションが提供する機能に基づいて作成したデータを、通話相手に対応する登録情報３１及び通話に対応する通話履歴情報３２と関連付ける。このように、スマートフォン１は、１回の通話中に複数のアプリケーションを実行し、それらのアプリケーションが提供する機能に基づいて作成した複数のデータを、登録情報３１及び通話履歴情報３２と関連付けることができる。
【００７８】
その後、スマートフォン１は、通話の切断、又は通話画面４５の通話終了ボタン４５ｂに対するタップを検出すると、電話アプリケーション９Ｂの実行を終了する。すなわち、スマートフォン１は、通話を終了する。
【００７９】
上述したように、スマートフォン１は、通話中に実行可能な複数のアプリケーションを選択するためのアプリケーション一覧６０を表示し、選択されたアプリケーションを実行する。このため、利用者は、通話中に実行可能なアプリケーションを容易に実行することができる。
【００８０】
さらに、スマートフォン１は、通話時に作成したデータを、通話相手の登録情報３１及び通話履歴情報３２に関連付ける。このため、スマートフォン１は、後述するように、通話時に作成したデータを、通話に関連する情報と関連付けて利用者に提示することができる。一般に、利用者は、いつ誰と通話したかを、通話が完了した後しばらくはよく覚えていることが多い。したがって、通話時に作成したデータを、通話に関連する情報と関連付けて利用者に提示することにより、利用者は、通話に関する記憶に基づいて、通話時に作成したデータを容易に見つけることができる。
【００８１】
上記の説明では、通話時に作成されたボイスデータが登録情報３１及び通話履歴情報３２と関連付けられる例を示したが、登録情報３１及び通話履歴情報３２と関連付けられるデータはボイスデータに限定されない。通話時に作成されるテキストデータ、画像データ、及び地図データ等の任意のデータも、同様に、登録情報３１及び通話履歴情報３２と関連付けられる。
【００８２】
上記の説明では、アプリケーションの実行が開始されると、データ記憶領域９０にデータが記憶され始める例を示したが、データ記憶領域９０にデータを記憶するタイミングは、これに限定されない。例えば、スマートフォン１は、アプリケーションの実行終了時にデータをデータ記憶領域９０に記憶してもよい。スマートフォン１は、利用者のデータ保存指示を検出した場合にデータをデータ記憶領域９０に記憶してもよい。スマートフォン１は、通話の終了時にデータをデータ記憶領域９０に記憶してもよい。スマートフォン１は、アプリケーションの種類に応じて、データ記憶領域９０にデータを記憶するタイミングを変更してもよい。
【００８３】
上記の説明では、データの作成を終了するときに、データを登録情報３１及び通話履歴情報３２と関連付ける例を示したが、データを登録情報３１及び通話履歴情報３２と関連付けるタイミングは、これに限定されない。例えば、スマートフォン１は、データの作成を開始するときに、データを登録情報３１及び通話履歴情報３２と関連付けてもよい。データを登録情報３１及び通話履歴情報３２と関連付けるタイミングは、通話が終了した後であってもよい。例えば、通話中に開始されたデータの作成が通話の終了後も継続している場合、データの作成完了時に、データを、既に完了した通話に対応する登録情報３１及び通話履歴情報３２と関連付けてもよい。
【００８４】
次に、図１０を参照しながら、スマートフォン１が、アドレス帳データ９Ｘを表示する場合の制御の例を説明する。図１０は、スマートフォン１がアドレス帳データ９Ｘを表示する場合の制御の例を示す図である。スマートフォン１は、アドレス帳データ９Ｘの表示を指示する操作を検出すると、ステップＳ２１に示すように、アドレス帳画面４６をディスプレイ２Ａに表示する。アドレス帳画面４６は、複数の登録情報領域４７を含む。それぞれの登録情報領域４７は、アドレス帳データ９Ｘの登録情報３１に対応する。
【００８５】
スマートフォン１は、登録情報領域４７に対応する登録情報３１にデータ記憶領域９０のデータが関連付けられている場合、そのデータに対応するデータアイコンを登録情報領域４７に表示する。図１０に示す例では、図７に示したアドレス帳データ９Ｘに基づいて、アドレス帳画面４６が表示されている。そのため、スマートフォン１は、「Ａさん」の登録情報３１に対応する登録情報領域４７に、ボイスデータ９１ａに対応するデータアイコン６２ａを表示している。スマートフォン１は、「Ｄさん」の登録情報３１に対応する登録情報領域４７に、ボイスデータ９１ｂに対応するデータアイコン６２ｂを表示している。スマートフォン１は、「Ｅさん」の登録情報３１に対応する登録情報領域４７に、画像データ９１ｃ及びメモデータ９１ｄに対応するデータアイコン６２ｃ及びデータアイコン６２ｄを表示している。
【００８６】
ステップＳ２１では、利用者の指Ｆ１が「Ａさん」に対応する登録情報領域４７のデータアイコン６２ａをタップしている。本実施形態において、登録情報領域４７のデータアイコンへのタップは、そのデータアイコンに対応するデータの再生指示を示す操作である。スマートフォン１は、データアイコン６２ａに対するタップを検出すると、データアイコン６２ａに対応するボイスデータ９１ａを再生するためのアプリケーションを実行する。
【００８７】
本実施形態において、スマートフォン１は、ボイスデータを再生するためのアプリケーションとして、ストレージ９に記憶されているプレイヤアプリケーションを実行するように構成されている。そのため、スマートフォン１は、プレイヤアプリケーションを実行し、ステップＳ２２に示すように、プレイヤ画面７３をディスプレイ２Ａに表示する。プレイヤ画面７３は、再生時間７３ａと、ＰＬＡＹボタン７３ｂと、ＳＴＯＰボタン７３ｃとを含む。
【００８８】
ステップＳ２２では、利用者の指Ｆ１がＰＬＡＹボタン７３ｂをタップしている。スマートフォン１は、ＰＬＡＹボタン７３ｂに対するタップを検出すると、ボイスデータ９１ａの再生を開始する。スマートフォン１は、再生を開始すると、プレイヤ画面７３のＰＬＡＹボタン７３ｂを、ステップＳ２３に示すように、ＰＡＵＳＥボタン７３ｄに切り替える。スマートフォン１は、再生したボイスデータ９１ａをスピーカ１１等から出力する。スマートフォン１は、プレイヤ画面７３の再生時間７３ａを再生時間に合わせて更新して表示する。
【００８９】
スマートフォン１は、ボイスデータ９１ａの再生が終了すると、ステップＳ２４に示すように、プレイヤ画面７３に削除確認ウィンドウ７４を表示する。削除確認ウィンドウ７４は、再生したボイスデータ９１ａを削除するか否かを利用者に確認するウィンドウである。削除確認ウィンドウ７４は、Ｙｅｓボタン７４ａと、Ｎｏボタン７４ｂとを含む。
【００９０】
ステップＳ２４では、利用者の指Ｆ１が削除確認ウィンドウ７４のＹｅｓボタン７４ａをタップしている。スマートフォン１は、Ｙｅｓボタン７４ａに対するタップを検出すると、データ記憶領域９０のボイスデータ９１ａと登録情報３１及び通話履歴情報３２との関連付けを解除する。関連付けの解除は、例えば、ポインタを削除することによって達成される。さらに、スマートフォン１は、データ記憶領域９０のボイスデータ９１ａを削除する。その後、スマートフォン１は、プレイヤ画面７３を表示する前に表示していた画面をディスプレイ２Ａに表示する。
【００９１】
上述したように、スマートフォン１は、通話時に作成したデータを、通話相手の登録情報３１に関連付ける。そして、スマートフォン１は、通話時に作成したデータを、通話相手と関連付けて利用者に提示する。このため、利用者は、通話時に作成されたデータを、通話相手を特定することによって容易に見つけることができる。すなわち、利用者は、通話相手さえ記憶していれば、通話時に記録した情報を容易に見つけることができる。このように、スマートフォン１は、使い勝手の向上に貢献する。
【００９２】
次に、図１１を参照しながら、スマートフォン１が、通話履歴データ９Ｙを表示する場合の制御の例を説明する。図１１は、スマートフォン１が通話履歴データ９Ｙを表示する制御の例を示す図である。スマートフォン１は、通話履歴データ９Ｙの表示を指示する操作を検出すると、ステップＳ３１に示すように、通話履歴画面４８をディスプレイ２Ａに表示する。通話履歴画面４８は、複数の通話履歴領域４９を含む。それぞれの通話履歴領域４９は、通話履歴データ９Ｙの通話履歴情報３２に対応する。
【００９３】
スマートフォン１は、通話履歴領域４９に対応する通話履歴情報３２にデータ記憶領域９０のデータが関連付けられている場合、そのデータの種類に対応するデータアイコンを通話履歴領域４９に表示する。図１１に示す例では、図８に示した通話履歴データ９Ｙに基づいて、通話履歴画面４８が表示されている。そのため、スマートフォン１は、日時が「４／１０  ０９：００」の通話履歴情報３２に対応する通話履歴領域４９に、ボイスデータ９１ｅに対応するデータアイコン６２ｅを表示している。スマートフォン１は、日時が「４／８  １０：００」の通話履歴情報３２に対応する通話履歴領域４９に、ボイスデータ９１ｆに対応するデータアイコン６２ｆを表示している。
【００９４】
ステップＳ３１では、利用者の指Ｆ１が「４／８  １０：００」の通話履歴領域４９に対応するデータアイコン６２ｆをタップしている。本実施形態において、通話履歴領域４９のデータアイコンへのタップは、そのデータアイコンに対応するデータの再生指示を示す操作である。スマートフォン１は、データアイコン６２ｆに対するタップを検出すると、データアイコン６２ｆに対応するボイスデータ９１ｆを再生するプレイヤアプリケーションを実行する。スマートフォン１は、ステップＳ３２に示すように、プレイヤ画面７３をディスプレイ２Ａに表示する。
【００９５】
ステップＳ３２では、利用者の指Ｆ１がＰＬＡＹボタン７３ｂをタップしている。スマートフォン１は、ＰＬＡＹボタン７３ｂに対するタップを検出すると、ボイスデータ９１ｆの再生を開始する。スマートフォン１は、再生を開始すると、プレイヤ画面７３のＰＬＡＹボタン７３ｂを、ステップＳ３３に示すように、ＰＡＵＳＥボタン７３ｄに切り替える。スマートフォン１は、再生したボイスデータ９１ｆをスピーカ１１等から出力する。スマートフォン１は、プレイヤ画面７３の再生時間７３ａを再生時間に合わせて更新して表示する。スマートフォン１は、ボイスデータ９１ｆの再生が終了すると、ステップＳ３４に示すように、プレイヤ画面７３に削除確認ウィンドウ７４を表示する。
【００９６】
ステップＳ３４では、利用者の指Ｆ１が削除確認ウィンドウ７４のＹｅｓボタン７４ａをタップしている。スマートフォン１は、Ｙｅｓボタン７４ａに対するタップを検出すると、データ記憶領域９０のボイスデータ９１ｆと登録情報３１及び通話履歴情報３２との関連付けを解除する。さらに、スマートフォン１は、データ記憶領域９０のボイスデータ９１ｆを削除する。その後、スマートフォン１は、プレイヤ画面７３を表示する前に表示していた画面をディスプレイ２Ａに表示する。
【００９７】
上述したように、スマートフォン１は、通話時に作成したデータを、通話に対応する通話履歴情報３２に関連付ける。そして、スマートフォン１は、通話時に作成したデータを、通話履歴と関連付けて利用者に提示する。このため、利用者は、通話時に作成したデータを、通話履歴を特定することによって容易に見つけることができる。すなわち、利用者は、通話の日時又は通話相手さえ記憶していれば、通話時に記録した情報を容易に見つけることができる。このように、スマートフォン１は、使い勝手の向上に貢献する。
【００９８】
次に、図１２を参照して、スマートフォン１のコントローラ１０が通話時にアプリケーションを実行する場合の処理手順の例について説明する。図１２は、スマートフォン１のコントローラ１０が通話時に行う制御を示すフローチャートである。図１２に示す処理手順は、コントローラ１０が制御プログラム９Ａを実行することによって実現される。設定データ９Ｚにおいて全てのアプリケーション情報３０が無効となっている場合、コントローラ１０は、本処理を実行しなくてもよい。
【００９９】
コントローラ１０は、ステップＳ１０１として、通話の開始を検出する。コントローラ１０は、ステップＳ１０１で通話の開始を検出すると、ステップＳ１０２として、通話履歴アプリケーション９Ｄを実行し、通話履歴情報３２を通話履歴データ９Ｙに追加する。コントローラ１０は、ステップＳ１０３として、図９のステップＳ１１に示すような通話画面４５をディスプレイ２Ａに表示させる。通話画面４５には、アプリケーション一覧６０が含まれる。
【０１００】
続いて、コントローラ１０は、ステップＳ１０４として、アプリケーション一覧６０のアイコンが選択されたか否かを判定する。例えば、コントローラ１０は、アプリケーション一覧６０のアイコンに対するタップを検出した場合に、アイコンが選択されたと判定する。コントローラ１０は、ステップＳ１０４でアイコンが選択されていない（Ｎｏ）と判定した場合、ステップＳ１１１の処理に移行する。
【０１０１】
コントローラ１０は、ステップＳ１０４でアプリケーション一覧６０のアイコンが選択された（Ｙｅｓ）と判定した場合、ステップＳ１０５の処理に移行する。コントローラ１０は、ステップＳ１０５として、アプリケーション一覧６０で選択されたアイコンに対応するアプリケーションを実行する。
【０１０２】
コントローラ１０は、ステップＳ１０６として、ステップＳ１０５で実行したアプリケーションの機能に基づいてデータ記憶領域９０にデータが記憶されたかを判定する。コントローラ１０は、ステップＳ１０６でデータが記憶されていない（Ｎｏ）と判定した場合、ステップＳ１１０の処理に移行する。コントローラ１０は、ステップＳ１０６でデータが記憶された（Ｙｅｓ）と判定した場合、ステップＳ１０７として、通話相手に対応する登録情報３１を特定する。例えば、コントローラ１０は、通話相手の電話番号に基づいて、通話相手に対応する登録情報３１を特定する。本実施形態では、説明を簡単にするために、通話相手が登録情報３１に登録されていない場合の処理の説明を省略する。
【０１０３】
コントローラ１０は、ステップＳ１０７で登録情報３１を特定すると、ステップＳ１０８として、データ記憶領域９０に記憶されたデータと登録情報３１とを関連付ける。コントローラ１０は、ステップＳ１０９として、データ記憶領域９０に記憶されたデータとステップＳ１０２で通話履歴データ９Ｙに追加した通話履歴情報３２とを関連付ける。
【０１０４】
続いて、コントローラ１０は、ステップＳ１０６でデータが記憶されていない（Ｎｏ）と判定した場合、又はステップＳ１０９でデータと通話履歴情報３２とを関連付けた場合、ステップＳ１１０として、ステップＳ１０５で実行したアプリケーションが終了したか否かを判定する。コントローラ１０は、ステップＳ１１０でアプリケーションが終了していない（Ｎｏ）と判定した場合、ステップＳ１０６の処理に戻り、それ以降のステップを実行する。コントローラ１０は、ステップＳ１１０でアプリケーションが終了している（Ｙｅｓ）と判定した場合、ステップＳ１１１の処理に移行する。
【０１０５】
コントローラ１０は、ステップＳ１１１として、終話したか否かを判定する。コントローラ１０は、ステップＳ１１１で終話していない（Ｎｏ）と判定した場合、ステップＳ１０４の処理に移行し、それ以降のステップを実行する。コントローラ１０は、ステップＳ１１１で終話している（Ｙｅｓ）と判定した場合、ステップＳ１１２の処理に移行する。コントローラ１０は、ステップＳ１１２として、ステップＳ１０２で追加した通話履歴情報３２に通話の開始から終話までの通話時間を記録する。コントローラ１０は、ステップＳ１１２で通話履歴情報３２の記録が終了すると、通話履歴アプリケーション９Ｄの実行を終了し、本処理を終了する。
【０１０６】
図１２のステップＳ１０５では、選択されたアイコンに応じて、各種のアプリケーションが実行される。
【０１０７】
例えば、図９のステップＳ１１に示すアイコン６１ａに対するタップを検出した場合、コントローラ１０は、通話を継続したままで、アイコン６１ａに対応するメモアプリケーションを実行する。コントローラ１０は、メモアプリケーションを実行すると、テキスト入力画面をディスプレイ２Ａに表示させる。コントローラ１０は、テキスト入力画面に対する利用者の操作に基づいてテキストデータを作成する。コントローラ１０は、データ記憶領域９０に記憶されたテキストデータを、登録情報３１及び通話履歴情報３２と関連付ける。このように、スマートフォン１は、利用者が、通話の用件等を、通話相手及び通話履歴と関連付けて、テキストデータとして保存することを可能にする。
【０１０８】
図９のステップＳ１１に示すアイコン６１ｂに対するタップを検出した場合、コントローラ１０は、通話を継続したままで、アイコン６１ｂに対応するカメラアプリケーションを実行する。コントローラ１０は、カメラアプリケーションを実行すると、撮影画面をディスプレイ２Ａに表示させる。コントローラ１０は、利用者の操作に基づいてカメラ１２又は１３によって撮影を行って画像データを作成する。コントローラ１０は、データ記憶領域９０に記憶された画像データを、登録情報３１及び通話履歴情報３２と関連付ける。このように、スマートフォン１は、利用者が、通話中の周囲の様子等を示す画像を、通話相手及び通話履歴と関連付けて、画像データとして保存することを可能にする。
【０１０９】
図９のステップＳ１１に示すアイコン６１ｃに対するタップを検出した場合、コントローラ１０は、アイコン６１ｃに対応するボイスレコーダアプリケーションを実行する。コントローラ１０は、ボイスレコーダアプリケーションを実行すると、図９のステップＳ１２に示すボイスレコーダ画面７１をディスプレイ２Ａに表示させる。コントローラ１０は、ＲＥＣボタン７１ｂに対するタップを検出すると、通話の音声を含むボイスデータを作成する。コントローラ１０は、データ記憶領域９０に記憶されたボイスデータを、登録情報３１及び通話履歴情報３２と関連付ける。このように、スマートフォン１は、利用者が、通話中の音声を、通話相手及び通話履歴と関連付けて、ボイスデータとして保存することを可能にする。
【０１１０】
図９のステップＳ１１に示すアイコン６１ｄに対するタップを検出した場合、コントローラ１０は、アイコン６１ｄに対応する地図アプリケーションを実行する。コントローラ１０は、地図アプリケーションを実行すると、地図画面をディスプレイ２Ａに表示させる。コントローラ１０は、利用者の操作等に基づいて、現在地又は利用者によって指定された場所を示す地図データを作成し、作成した地図データに基づいて地図画面に地図を表示する。地図データは、サーバから取得した情報から作成してもよいし、ストレージ９に記憶されている情報から作成してもよい。コントローラ１０は、利用者の保存指示を検出すると、地図データをデータ記憶領域９０に記憶し、登録情報３１及び通話履歴情報３２と関連付ける。このように、スマートフォン１は、利用者が、通話中の現在地又は通話相手から伝えられた場所を、通話相手及び通話履歴と関連付けて、地図データとして保存することを可能にする。
【０１１１】
図１２では、データの記憶時にデータを登録情報３１及び通話履歴情報３２と関連付ける例について説明したが、データを登録情報３１及び通話履歴情報３２と関連付けるタイミングはこれに限定されない。
【０１１２】
上記の説明では、スマートフォン１は、データを登録情報３１及び通話履歴情報３２と関連付ける例を示したが、データを登録情報３１または通話履歴情報３２のいずれかに関連付けてもよい。
【０１１３】
次に、図１３を参照しながら、コントローラ１０がアドレス帳データ９Ｘの表示を実行する場合の処理手順について説明する。図１３は、コントローラ１０が行うアドレス帳の表示制御を示すフローチャートである。図１３に示す処理手順は、コントローラ１０がアドレス帳アプリケーション９Ｃを実行することによって実現される。図１３に示す処理は、コントローラ１０がアドレス帳データ９Ｘの表示指示を検出した場合に実行される。
【０１１４】
コントローラ１０は、ステップＳ２０１として、図１０のステップＳ２１に示すようなアドレス帳画面４６をディスプレイ２Ａに表示させる。コントローラ１０は、登録情報３１にデータが関連付けられている場合、データに対応するデータアイコンを、登録情報３１に対応する登録情報領域４７に表示させる。
【０１１５】
続いて、コントローラ１０は、ステップＳ２０２として、登録情報３１が選択されたか否かを判定する。例えば、コントローラ１０は、アドレス帳画面４６の登録情報領域４７のいずれかに対するタップを検出した場合、登録情報３１が選択されたと判定する。コントローラ１０は、ステップＳ２０２で登録情報３１が選択されていない（Ｎｏ）と判定すると、ステップＳ２０４の処理に移行する。
【０１１６】
コントローラ１０は、ステップＳ２０２で登録情報３１が選択された（Ｙｅｓ）と判定すると、ステップＳ２０３として、選択された登録情報３１に対応する処理を実行する。登録情報３１に対応する処理は、例えば、登録情報３１に対応する通話相手との通話を行う処理、又は登録情報３１を編集する処理である。コントローラ１０は、登録情報３１に対応する処理を完了すると、ステップＳ２０６の処理に移行する。
【０１１７】
コントローラ１０は、ステップＳ２０４として、データアイコンが選択されたか否かを判定する。例えば、コントローラ１０は、データアイコンに対するタップを検出した場合、データアイコンが選択されたと判定する。コントローラ１０は、ステップＳ２０４でデータアイコンが選択されていない（Ｎｏ）と判定した場合、ステップＳ２０２の処理に移行して、それ以降のステップを実行する。
【０１１８】
コントローラ１０は、ステップＳ２０４でデータアイコンが選択された（Ｙｅｓ）と判定した場合、ステップＳ２０５として、データアイコンのデータに対応するアプリケーションを実行する。コントローラ１０は、実行したアプリケーションが終了すると、ステップＳ２０６に移行する。
【０１１９】
コントローラ１０は、ステップＳ２０６として、終了操作が検出されたかを判定する。終了操作は、アドレス帳データ９Ｘの表示を終了させるための操作である。コントローラ１０は、ステップＳ２０６で終了操作が検出されていない（Ｎｏ）と判定した場合、ステップＳ２０２の処理に移行して、それ以降のステップを実行する。コントローラ１０は、ステップＳ２０６で終了操作が検出された（Ｙｅｓ）と判定した場合、本処理を終了する。
【０１２０】
図１３のステップＳ２０５では、選択されたデータアイコンに応じて、各種のアプリケーションが実行される。例えば、選択されたデータアイコンが、テキストデータに対応する場合、コントローラ１０は、テキストデータを再生（表示）又は編集するためのアプリケーションを実行する。選択されたデータアイコンが、画像データに対応する場合、コントローラ１０は、画像データを再生（表示）又は編集するためのアプリケーションを実行する。選択されたデータアイコンが、ボイスデータに対応する場合、コントローラ１０は、ボイスデータを再生（音として出力）するためのアプリケーションを実行する。選択されたデータアイコンが、地図データに対応する場合、コントローラ１０は、地図データを再生（表示）するためのアプリケーションを実行する。
【０１２１】
図１３では、アドレス帳データ９Ｘを表示する場合の処理手順について説明したが、通話履歴データ９Ｙを表示する場合の処理手順もこれと同様である。具体的には、通話履歴データ９Ｙを表示する場合、登録情報３１に代えて通話履歴情報３２が表示され、登録情報３１に対応する処理に代えて通話履歴情報３２に対応する処理が実行される。
【０１２２】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【０１２３】
例えば、図５に示した各プログラムは、複数のモジュールに分割されていてもよい。あるいは、図５に示した各プログラムは、他のプログラムと結合されていてもよい。
【０１２４】
上記の実施形態では、スマートフォン１は、データ記憶領域９０に記憶されるデータを登録情報３１及び通話履歴情報３２に関連付ける場合について説明したが、データを登録情報３１又は通話履歴情報３２のいずれか一方に関連付けてもよい。
【０１２５】
上記の実施形態では、データ記憶領域９０がスマートフォン１に設けられる場合について説明したが、データ記憶領域９０は、スマートフォン１以外の装置に設けられてもよい。すなわち、スマートフォン１は、通話時に作成されたデータを、通信ユニット６による通信によって他の装置へ送信し、他の装置に記憶させるように構成されてもよい。
【０１２６】
上記の実施形態では、スマートフォン１は、操作を検出するための操作検出部としてタッチスクリーン２Ｂを有する場合について説明したが、操作検出部は、これに限定されない。スマートフォン１は、操作検出部として、例えば、キーボード等のボタン、マウス等のポインティングデバイス、及び音声による操作を認識するための音声認識部の少なくとも１つを有してもよい。
【０１２７】
上記の実施形態では、通話時に作成されたデータを、登録情報３１及び通話履歴情報３２の少なくとも一方と関連付ける場合について説明したが、登録情報３１及び通話履歴情報３２の少なくとも一方と関連付けられるデータはこれに限定されない。例えば、スマートフォン１は、通話終了後の所定時間内に作成されたデータを、登録情報３１及び通話履歴情報３２の少なくとも一方と関連付けるように構成されてもよい。このような構成により、通話終了後に通話の用件等に関するデータが作成された場合に、そのデータを通話と関連付けることが可能になる。すなわち、利用者が、通話の用件等に関するデータを通話中に作成する余裕がない場合であっても、データを通話と関連付けることができる。
【０１２８】
上記の実施形態では、通話機能を有する通信装置の一例として、スマートフォンについて説明したが、添付の請求項に係る通信装置は、スマートフォンに限定されない。添付の請求項に係る通信装置は、スマートフォン以外の携帯電話であってもよい。添付の請求項に係る通信装置は、データ通信用のネットワークを利用して通話を実現する装置であってもよい。データ通信用のネットワークを利用して通話を実現する技術には、例えば、ＶｏＩＰ（Ｖｏｉｃｅ  ｏｖｅｒ  Ｉｎｔｅｒｎｅｔ  Ｐｒｏｔｏｃｏｌ）が含まれる。データ通信用のネットワークを利用して通話を実現する装置には、例えば、タブレット、パソコン、ゲーム機が含まれる。
【０１２９】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【０１３０】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  電話アプリケーション
９Ｃ  アドレス帳アプリケーション
９Ｄ  通話履歴アプリケーション
９Ｘ  アドレス帳データ
９Ｙ  通話履歴データ
９Ｚ  設定データ
１０  コントローラ
１１  スピーカ
１２，１３  カメラ
１４  コネクタ
１５  加速度センサ
１６  方位センサ
１７  ジャイロスコープ
２０  ハウジング
３０  アプリケーション情報
３１  登録情報
３２  通話履歴情報
４０  ホーム画面
６０  アプリケーション一覧
９０  データ記憶領域
【図１】
2013255162.tif 000003
【図２】
2013255162.tif 000004
【図３】
2013255162.tif 000005
【図４】
2013255162.tif 000006
【図５】
2013255162.tif 000007
【図６】
2013255162.tif 000008
【図７】
2013255162.tif 000009
【図８】
2013255162.tif 000010
【図９】
2013255162.tif 000011
【図１０】
2013255162.tif 000012
【図１１】
2013255162.tif 000013
【図１２】
2013255162.tif 000014
【図１３】
2013255162.tif 000015